(57)【要約】【課題】  髪の一部を高い位置で留め、様々なスタイルで調髪し得るようにした調髪用具を提供する。【解決手段】  装着者の頭部形状に適合するように湾曲せしめられた細長い板状の基板と、その基板の前後の両側縁から夫々前後方向に突出する複数の櫛歯と、基板の上面に前後に対を成して設けられ、縦方向に上方から２箇所の切込みが設けられ、それらの切込みの外側壁面にはラック歯列が設けられた半月形板から成る可動部支持体とを具備した基板部材と、  基台部材に設けられた調髪台部材支持体の上縁の円弧より小さい曲率をもって円弧状に曲げられた可橈性基板と、可橈性基板の上面縁辺部に設けられた複数の髪留小突起と、可橈性基板の両端部近傍下面側から夫々相対向して張り出し、基板部材の切込み内に嵌め込まれる支腕を設け、更にその支腕の自由端近傍の両側面に、ラック歯列に掛け留められるラッチピンを設けて成る調髪台部材とにより調髪用具を構成する。【選択図】図1
0003152952.tif 000002
【実用新案登録請求の範囲】
【請求項１】
装着者の頭部形状に適合するように湾曲せしめられた細長い板状の基板（１１）と、その基板（１１）の前後の両側縁から列を成して夫々前後方向に突出する複数の櫛歯（１３）と、基板（１１）の上面に前後に対を成して設けられ、縦方向に上方から２箇所の切込み（１５０）が設けられ、それらの切込み（１５０）の外側壁面にはラック歯列（１５１）が設けられた半月形板（１２１）から成る調髪台部材支持体（１２）とを具備した基台部材（１）と、
基台部材（１）に設けられた調髪台部材支持体（１２）の上縁の円弧より小さい曲率をもって円弧状に曲げられた可橈性基板（２０）と、可橈性基板（２０）の上面縁辺部に設けられた複数の髪留小突起（２１）と、可橈性基板（２０）の両端部近傍下面側から夫々相対向して張り出し、基板部材（１）の切り込み（１５０）内に嵌め込まれる支腕（２２）を設け、更にその支腕（２２）の自由端近傍の両側面に、ラック歯列（１５１）に掛け留められるラッチピン（２３）を設けて成る調髪台部材（２）とから成る調髪用具（３）。
【請求項２】
髪留小突起（２１）が、鏃状である請求項１に記載の調髪用具（３）
【請求項３】
髪留小突起（２１）が側方に分岐する複数の微小突起を有する請求項１に記載の調髪用具（３）。
【考案の詳細な説明】
【技術分野】
【０００１】
本考案は、女子用の調髪用具に関する。
【背景技術】
【０００２】
従来公知の調髪用具は、単に髪をまとめたり、頭皮に押し付けて留めたりするだけのものであった。
髪を嵩高に整え、調髪する用具は提案されていない。
【先行技術文献】
【特許文献】
【０００３】
【特許文献１】実用新案登録第３１００５７０号公報
【考案の概要】
【考案が解決しようとする課題】
【０００４】
本考案は、髪の高さを容易かつ自在に調節して髪を嵩高に調え、見栄え良く調髪することができる調髪用具を提供することである。
尚、本願明細書において、前後、左右、上下と言うときは、装着者地震から見て夫々、前後、左右、上下であることを言うものとする。
【課題を解決するための手段】
【０００５】
本考案に係る調髪用具は、櫛歯を備え髪に取り付けられる基台部材と、その基台部材に相対高さを調節自在に取り付けられる調髪台部材とから成る。
この調髪用具を装着するときは、髪を上下二層に分け、下側の髪の上に基台部材を取り付け、上側の髪を調髪台部材の上に載せ、適宜の髪形を調えるものである。
基台部材及び調髪台部材は、望ましくは合成樹脂で製造される。基台部材はやや剛性のある材料で、調髪台部材は弾性に富んだ材料で製作される。
【０００６】
基台部材は、頭部形状に適合するように湾曲せしめられた細長い薄板状の基板と、その基板の両側縁から前後方向に突出する複数の櫛歯と、基板の上面に設けられた調髪台部材支持体とから成る。
望ましい実施例において、基板は例えば細長い方形板又は長円形板などであり、櫛歯は基板の縁辺に一列に整列する錐状体であり、基板の表裏両面間の中心面上に配列されているが、櫛歯の形状は特に限定されるものではない。
【０００７】
基板の上面には、その中心線に沿って三日月形の調髪台部材支持体が設けられる。
調髪台部材支持体は、互いに対向して設けられる同形の２枚の三日月形輪郭の板部材からなり、その板部材には、縦方向の切込みが２箇所設けられ、切込みの外側の側縁には、三角歯形のラックが設けられる。
【０００８】
調髪台部材は、基台部材に設けられた調髪台部材支持体の上縁の円弧よりやや小さい曲率をもって円弧状に曲げられた帯状、又は、長方形、長円形の可橈性板材の上面に髪を留めるための小突起列を設けると共に、内面側に可橈性板材の両端部近傍から夫々中心に向けて対をなして張り出す支腕を設け、更にその支腕の自由端近傍の両側面に、ラッチピンを設けて成る。
【０００９】
支腕の厚みは、調髪台部材支持体を構成する２枚の三日月形輪郭の板部材の間の空間にしっくりとフィットする寸法である。
而して、調髪台部材を基台部材に取り付けるときは、調髪台部材の両端部を押さえ、調髪台部材を少し撓めた状態で、その支腕を基台部材の２枚の三日月形板部材の間の空間にはめ込み、所望の深さまで挿入して手を離す。
【００１０】
然るときは、調髪台部材は元の自由状態の形状に復元しようとするので、その支腕の先端に設けられたラッチピンは、調髪台部材の弾性力により、基台部材のラックに押し付けられ、ラックの歯の間に噛みこまれ、これにより調髪台部材は、基台部材に固定される。
そして、基台部材に対する調髪台部材の相対位置は、ラックピンとラックの相対位置によって決定される。
【００１１】
この調髪用具を装着するときは、この調髪用具の高さを適宜に調整しておき、髪を基台部材の下にする下層部分と、調髪台部材の上に載せる上層部分とに二分し、基台部材の櫛歯を利用して下層部分の髪に取り付け、上層部分の髪を調髪台部材に載せ、その上面に配列された髪留突起を利用して、髪を留め、適宜の髪型に髪を整えるものである。
【考案の効果】
【００１２】
本考案に係る調髪用具は、単に髪を押さえつけるものでなく、髪の一部を所望の高さに持ち上げて調髪できるので、本考案によるときは、様々に斬新なヘアスタイルを楽しむことができる。
本考案のその他の目的、利点および特徴については、以下の望ましい実施例の詳細説明と参照図によって説明される。
【図面の簡単な説明】
【００１３】
【図１】本考案に係る調髪用具の第一実施例の構成を示す立体分解図である。
【図２】図１に示した調髪用具の斜視図である。
【図３】図１に示した調髪用具の販売時の形態を示す説明図である。
【図４】図３に示した調髪用具の高さ調節時の状態を示す説明図である。
【図５】図３に示した調髪用具の使用時の状態を示す説明図である。
【図６】図３に示した調髪用具の調髪台部材の変形状態を示す説明図である。
【図７】本考案の第二実施例で採用される髪留突起の構成を示す説明図である。
【図８】本考案に係る調髪用具の第三実施例の構成を示す説明図である。
【図９】本考案に係る調髪用具の第四実施例の構成を示す斜視図である。
【図１０】本考案に係る調髪用具の装着例を示す説明図である。
【考案を実施するための形態】
【００１４】
本考案は多くの異なる構造の実施例を包含する。ここで述べるものはその実施例であり、本考案の構成を制限するものではない。
以下、図面により本考案の望ましい実施例について説明する。
【実施例１】
【００１５】
図１乃至図６は、本考案の第一実施例の構成を示すものである。
而して、図中、１は基台部材、２は調髪台部材である。
基台部材１は、一般装着者の頭部形状に適合するように湾曲せしめられた細長い薄板状の基板１１と、その基板１１の両側縁に一列に配列された櫛歯１３と、基板１１の上面に設けられた調髪台部材支持体１２とから成る。
【００１６】
望ましい実施例において、基板１１は例えば細長い方形板又は長円形板などであり、櫛歯１３は基板１１の縁辺から前後方向に突出する錐状体であり、基板１１の表裏両面間の中心面上に配列されている。
【００１７】
尚、本実施例において、櫛歯１３の形状は細長い円錐台形になっているが、この櫛歯１３の形状はこの形に限定されるものでなく、例えば縦方向にスリットが入った松葉状などのものや、先が曲がったフック状のもの等であっても良い。
【００１８】
基板１１の上面には、その中心線に沿って三日月形の調髪台部材支持体１２が設けられる。
調髪台部材支持体１２は、互いに対向して設けられる同形の２枚の三日月形輪郭の半月板部材１２１からなり、その半月板部材１２１には、縦方向の切込み１２２が２箇所左右対称に設けられている。
切込み１２２の上方端開口部は、抜け止め用ストッパー１５３により幅が狭くなっており、奥の部分は幅の広いラックピン移動空間１５２となっている。
【００１９】
又、切込みの開口部のストッパー１５３とは反対側の壁面は、ラックピンの受け入れを容易にするため斜面１６とすることが望ましい。
切込み１２２の半月板部材１２１の縦方向中心線から遠い方の側壁面には、複数の三角歯形のラック歯１５１から成るラック１５が設けられる。
このラック歯形も三角に限定されるものでなく、台形歯形、円弧歯形などとすることができる。
【００２０】
調髪台部材２は、基台部材１に設けられた調髪台部材支持体１２の上縁の円弧よりやや小さい曲率をもって円弧状に曲げられた帯状、又は、長方形、長円形の可橈性基板２０と、
可橈性基板２０の上面の前後縁沿って整列させて設けた複数の髪留小突起２１と、
可橈性基板２０の下面側の両端部近傍から夫々中心に向けて対をなして張り出す支腕２２と、
その支腕２２の自由端近傍の両側面に設けられたラッチピン２３とから成る。
【００２１】
支腕２２の厚みは、調髪台部材支持体１２を構成する２枚の半月板部材１２１の間のラックピン移動空間１５２にしっくりとフィットする寸法である。
而して、調髪台部材２を基台部材１に取り付けるときは、調髪台部材２の可橈性基板２０の両端部を押さえ、少し撓めた状態で、その支腕を基台部材１の２枚の半月板部材１２１の間の収納空間１４内にはめ込み、所望の深さまで挿入して手を離す。
【００２２】
然るときは、調髪台部材２は元の自由状態の形状に復元しようとするので、その支腕２２の先端に設けられたラッチピン２３は、調髪台部材2の弾性復元力により、基台部材１のラック１５に押し付けられ、その歯１５１の間に噛みこまれ、これにより調髪台部材２は、基台部材１に対し所望の高さの位置に固定される。
そして、基台部材に対する調髪台部材の相対位置は、ラック１５に対するラッチピン２３の相対位置によって決定される。
【００２３】
この調髪用具３を装着するときは、調髪用具３の高さを適宜に調整しておき、髪を基台部材1の下にする下層部分と、調髪台部材２の上に載せる上層部分とに二分し、基台部材１の櫛歯１３を利用して下層部分の髪に取り付け、上層部分の髪を調髪台部材２に上に載せ、その上面に配列された髪留小突起２１を利用して、髪を留め、適宜の髪型に髪を整えるものである。
【００２４】
図７には、本考案の第二実施例において用いられる髪留小突起の上記の鏃形とは異なった好ましい形状が示されている。
ここで示されている髪留小突起２１は、複数の分枝を有している。
【００２５】
図８に示されているのは、本考案の第三実施例である。
ここでは、基台部材１の基板１１に、櫛歯１３に加えて、櫛歯１７が並列に配置されている。
又、調髪台部材２の髪留小突起２１の形状も、杉の木様の形状に変えられている。
【００２６】
図８に示されているのは、本考案の第四実施例である。
ここに示されている調髪用具４は、基台部材４１と、調髪台部材４２とから成り、４１１は櫛歯、４２１は髪留部材である。
この実施例では、上述の各実施例とは異なった調髪台部材支持体が用いられている。
【産業上の利用可能性】
【００２７】
本考案は叙上の如く構成されるので、本考案によるときは、単に髪をまとめたり、押さえたりするだけでなく、髪の一部を持ち上げて、高い位置に保持することができるので、る、ファッション性に富んだ調髪が可能となり、様々なヘアスタイルを楽しむことができるような調髪用具を提供することができる。
【符号の説明】
【００２８】
１            基台部材
１１          基板
１２          調髪台部材支持体
１２１        半月板部材
１２２        切込み
１３          櫛歯
１４          支腕収納空間
１５          ラック
１５１        ラック歯
１５２        ラッチピン移動空間
１５３        ストッパー
１１６        挿入口
１７          櫛歯
２            調髪台部材
２０          可橈性基板
２１          髪留突起
２２          支腕
２３          ラッチピン
３            調髪用具
４            調髪用具
４１          基台部材
４１１        櫛歯
４２          調髪台部材
４２１        髪留突起
【図１】
0003152952.tif 000003
【図２】
0003152952.tif 000004
【図３】
0003152952.tif 000005
【図４】
0003152952.tif 000006
【図５】
0003152952.tif 000007
【図６】
0003152952.tif 000008
【図７】
0003152952.tif 000009
【図８】
0003152952.tif 000010
【図９】
0003152952.tif 000011
【図１０】
0003152952.tif 000012